(57)【要約】【課題】  本体ケースを大きくせずに携帯端末自体の落下、あるいは落下物の落下から液晶表示装置を保護できる携帯端末を得、携帯端末の保証機能を確保する。【解決手段】  上筐体２３と下筐体２５とがヒンジ部２７を介して折り畳まれる折り畳み型の携帯端末１００において、筺体２１の落下を検出する落下検出回路と、上筺体２３と下筺体２５とを折り畳む折り畳み駆動手段と、落下検出回路の落下検出動作に同期して折り畳み駆動手段を作動させる開閉制御回路とを設けた。【選択図】図１
2006165732.tif 000002
【特許請求の範囲】
【請求項１】
上筺体と下筺体とがヒンジ部を介して折り畳まれる折り畳み型の携帯端末において、
筺体の落下を検出する落下検出回路と、前記上筺体と前記下筺体とを折り畳む折り畳み駆動手段と、前記落下検出回路の落下検出動作に同期して該折り畳み駆動手段を作動させる開閉制御回路とを具備したことを特徴とする携帯端末。
【請求項２】
前記筺体に設けられたスピーカーと、前記落下検出回路の落下検出動作に同期して該スピーカーを鳴動させる鳴動制御回路とを具備したことを特徴とする請求項１記載の携帯端末。
【請求項３】
上筺体と下筺体とがヒンジ部を介して折り畳まれる折り畳み型の携帯端末において、
開いている状態の前記上筺体と前記下筺体とに対して落下物があったときに前記落下物を検知する落下物検知手段と、前記上筺体と前記下筺体とを折り畳む折り畳み駆動手段と、前記落下物検知手段の落下物検知動作に同期して該折り畳み駆動手段を作動させる開閉制御回路とを具備したことを特徴とする携帯端末。
【請求項４】
前記落下物検知手段が、カメラ撮像部と、該カメラ撮像部からの撮像データを記憶するメモリと、該メモリに保存されている撮像データを以前の撮像データと比較して一定時間の撮像データが一致していなければ落下物があると判断して前記開閉制御回路へ落下物検知信号を送出する静止比較回路とからなることを特徴とする請求項３記載の携帯端末。
【発明の詳細な説明】
【技術分野】
【０００１】
本発明は、液晶表示装置を備えた折り畳み型の携帯端末に関し、特に、携帯端末自体の落下、あるいは落下物の落下に対して液晶表示装置を保護する改良技術に関する。
【背景技術】
【０００２】
液晶表示装置を備えた携帯端末には、例えば携帯電話機、ＰＤＡ、無線機、モバイル型のＰＣ、ノート型ＰＣ等がある。
近年、携帯端末である例えば携帯電話機のユーザーは増え続けており、携帯電話機は使用状況も多岐に亘ることから様々な要因で壊れることがある。従来、この種の携帯電話機を保護するものとして、例えば、下記特許文献１に記載されるものがあった。
【０００３】
図１１は、特許文献１に記載された従来の携帯電話機を示している。
携帯電話機１は、情報を表示し得る液晶表示部３、被写体を撮影するためのＣＣＤおよび光学系５を含む内蔵ユニット（カメラユニット）７、液晶表示部３およびカメラユニット７を保持しかつ輪郭を画定する本体ケース９を備えている。
この携帯電話機１では、携帯電話機を通してカメラユニット７へ加わる衝撃を緩和するために、カメラユニット７と本体ケース９との間に緩衝材１１を設けることで、利用者が誤って携帯電話機１を落下させた場合でもカメラユニット７の破損が防止され、所望の機能が保持されるようになっている。
【０００４】
【特許文献１】特開２００３−２５８９７１号公報（６頁、図１）
【発明の開示】
【発明が解決しようとする課題】
【０００５】
しかしながら、上記した従来の構成では緩衝材１１を設けることで緩衝材１１のためのスペースを本体ケース９内に確保する必要があり、本体ケース９が大きくなり、厚みも増す問題があった。
また、緩衝材１１を設けるのみでは、液晶表示部３の表面を保護するにも不十分であるという問題があった。
【０００６】
本発明は上記状況に鑑みてなされたもので、本体ケースを大きくせずに、携帯端末自体の落下、あるいは落下物の落下から液晶表示装置を保護できる携帯端末を提供し、もって、携帯端末の保証機能確保を図ることを目的とする。
【課題を解決するための手段】
【０００７】
上記目的を達成するための本発明に係る携帯端末は、上筺体と下筺体とがヒンジ部を介して折り畳まれる折り畳み型の携帯端末において、筺体の落下を検出する落下検出回路と、前記上筺体と前記下筺体とを折り畳む折り畳み駆動手段と、前記落下検出回路の落下検出動作に同期して該折り畳み駆動手段を作動させる開閉制御回路とを具備したことを特徴とする。
【０００８】
この携帯端末では、ユーザーが携帯電話機を誤って落とすと、落下検出回路によって落下が検出され、携帯電話機が開いていた場合、開閉制御回路が起動されて、折り畳み駆動手段を介して上筐体と下筐体とが閉じられ、液晶表示装置の表面が保護される。
【０００９】
また、本発明に係る携帯端末は、前記筺体に設けられたスピーカーと、前記落下検出回路の落下検出動作に同期して該スピーカーを鳴動させる鳴動制御回路とを具備したことを特徴とする。
【００１０】
この携帯端末では、ユーザーがポケットやカバンに入れたつもりで、携帯電話機を落としてしまった場合、落下検出回路によって鳴動制御回路が起動され、スピーカーが鳴動されて、携帯電話機の落下したことがユーザーに通知される。
【００１１】
さらに、本発明に係る携帯端末は、上筺体と下筺体とがヒンジ部を介して折り畳まれる折り畳み型の携帯端末において、開いている状態の前記上筺体と前記下筺体とに対して落下物があったときに前記落下物を検知する落下物検知手段と、前記上筺体と前記下筺体とを折り畳む折り畳み駆動手段と、前記落下物検知手段の落下物検知動作に同期して該折り畳み駆動手段を作動させる開閉制御回路とを具備したことを特徴とする。
【００１２】
この携帯端末では、携帯電話機に向かって落下物があると、落下物検知手段によって落下物の落下が検知され、携帯電話機が開いていた場合、開閉制御回路が起動されて、折り畳み駆動手段を介して上筐体と下筐体とが閉じられ、液晶表示装置の表面が落下物の衝突から保護される。
【００１３】
そして、本発明に係る携帯端末は、前記落下物検知手段が、カメラ撮像部と、該カメラ撮像部からの撮像データを記憶するメモリと、該メモリに保存されている撮像データを以前の撮像データと比較して一定時間の撮像データが一致していなければ落下物があると判断して前記開閉制御回路へ落下物検知信号を送出する静止比較回路とからなることを特徴とする。
【００１４】
この携帯端末では、筺体近傍の状況が、筺体に設けられたカメラ撮像部によって逐一撮影され、一定時間での撮像データが比較されることで、筺体へ接近する落下物の検知が可能となる。
【発明の効果】
【００１５】
本発明に係る携帯端末によれば、上筺体と下筺体とがヒンジ部を介して折り畳まれる折り畳み型の携帯端末において、筺体の落下を検出する落下検出回路と、上筺体と下筺体とを折り畳む折り畳み駆動手段と、落下検出回路の落下検出動作に同期して折り畳み駆動手段を作動させる開閉制御回路とを備えたので、ユーザーが携帯電話機を誤って落としてしまった場合でも、携帯電話機は閉じた状態で落下するため、直接液晶表示装置に衝撃が伝わることを回避することができ、緩衝材を設けることなく、筺体を大きくせずに、液晶表示装置の表面を保護することができる。
【発明を実施するための最良の形態】
【００１６】
以下、本発明に係る携帯端末の好適な実施形態を図面を参照して説明する。
図１は本発明の第１実施形態に係る携帯電話機の正面図である。
第１実施形態では、携帯端末が携帯電話機である場合を例に説明する。なお、本発明に係る携帯端末は、この他、ＰＤＡ、無線機、モバイル型のＰＣ、ノート型ＰＣ等であってもよい。
【００１７】
図１に示すように、第１実施形態による携帯電話機１００は、筺体２１が上筐体２３と下筐体２５とからなり、これら上筐体２３および下筐体２５とが、双方に設けられたヒンジで構成されるヒンジ部２７によって二つ折りに折り畳み自在となっている。上筐体２３の裏面（二つ折り時に重ね合わされる面）には液晶表示装置２９が設けられるとともに、受話部が設けられる。下筐体２５の裏面にはスイッチ操作を行う操作部３１が設けられるとともに送話部が設けられる。
この他、筺体２１にはアンテナ３３、カメラ撮像部３５、図示しないバイブレータ、各種回路部を備えた回路基板等が設けられている。
【００１８】
図２は図１に示した携帯電話機の要部構成を表したブロック図である。
携帯電話機１００は、筺体２１の落下を検出する落下検出回路４１と、上筐体２３と下筐体２５とを折り畳む折り畳み駆動手段であるモーター４３と、落下検出回路４１の落下検出動作に同期してモーター４３を作動させる制御部４５とからなる。落下検出回路４１とモーター４３とは、制御部４５内の落下検出回路４１に接続される。モーター４３は、携帯電話機１００のヒンジ部２７に組み込まれている。
なお、第１実施形態では、落下検出回路４１に接続されて落下を検出する手段として加速度センサーが用いられる。加速度センサーとしては、例えば半導体ピエゾ抵抗効果を利用したものを用いることができる。
【００１９】
次に、落下検出時の携帯電話機１００の動作を図３を用いて説明する。
図３は携帯電話機の落下検出から上筐体と下筐体とを折り畳むまでの動作手順を表したフローチャートである。
携帯電話機１００の電源がＯＮされると、制御部４５は落下検出回路４１を起動する（Step1）。
落下検出回路４１が起動している状態で落下検出回路４１内の加速度センサーが落下を検出すると（Step2）、制御部４５内の開閉制御回路４７を起動する（Step3）。
【００２０】
開閉制御回路４７は現在の携帯電話機１００の開閉状態を保持しており（Step4）、携帯電話機１００が閉じている状態ならば、なにもしない。携帯電話機１００が開いている状態ならばモーター４３を起動させて（Step5）、携帯電話機１００を閉じる（Step6）。
携帯電話機１００は落下時にモーター４３を使用して閉じるが、通常の開閉はモーター４３を使用しなくても良い。
【００２１】
以上のように、ユーザーが携帯電話機１００を誤って落としてしまった場合でも、携帯電話機１００は閉じた状態で落下するため、直接液晶表示装置２９に衝撃が伝わることを回避することができ、緩衝材を設けることなく、筺体２１を大きくせずに、液晶表示装置２９の表面を保護することができる。
【００２２】
なお、第１実施形態に係る携帯電話機１００は、落下検出回路４１内に加速度センサーを用いた構成となっているが、加速度センサーの代わりに落下センサーを利用しても同様の効果を得ることができる。
この結果、携帯電話機１００の保証機能を確保することができる。
【００２３】
図４は第１実施形態の変形例１を表す要部構成ブロック図である。
上記の携帯電話機１００は、筺体２１にスピーカー４９と、落下検出回路４１の落下検出動作に同期してスピーカー４９を鳴動させる鳴動制御回路５１とを備えるものであってもよい。
このような変形例１によれば、ユーザーがポケットやカバンに入れたつもりで、携帯電話機１００を落としてしまった時に、落下検出回路４１と鳴動制御回路５１を連動させることで、スピーカー４９を鳴動させ、携帯電話機１００が落下したことをユーザーに通知し、携帯電話機１００の紛失を防止することも可能となる。
【００２４】
なお、第１実施形態では液晶表示装置２９の表面を保護する場合を例に説明しているが、この他液晶表示装置２９のみでなく、下筐体２５の表面に設けられた操作部３１を保護するようにしても良い。
さらに、上記の変形例１では折り畳み駆動手段としてモーター４３が用いられる場合を例に説明したが、折り畳み駆動手段は、この他、弾性体（ばね）のようなものを代わりに用いても良い。
【００２５】
次に、第１実施形態の変形例２を説明する。
図５は第１実施形態の変形例２を表す要部構成ブロック図、図６は第１実施形態の変形例２の動作手順を表したフローチャートである。
上記の第１実施形態による携帯電話機１００では、落下時に上筐体２３と下筐体２５とが閉動することを例として説明したが、この変形例２では、図５に示すように上記の落下検出回路４１の変わりに指紋認証回路５３を加えることで、ユーザーの指紋が一致すると携帯電話機１００が開閉する構成になっている。
【００２６】
すなわち、図６に示すように、携帯電話機１００の電源がＯＮされると、制御部４５は指紋認証回路５３を起動する（Step11）。
指紋認証回路５３が起動している状態で、ユーザーが指紋認証回路５３に触れると指紋認証回路５３は、制御部４５に接続されたメモリ５５内に予め登録されているユーザーの指紋データと比較を行う（Step12）。
ユーザーの指紋と一致すると、制御部４５内の開閉制御回路４７を起動させ（Step13）、モーター４３をＯＮにすることでヒンジ部２７に設けられた図示しないロックを解除する（Step14）。
【００２７】
このように、落下検出回路４１の代わりに指紋認証回路５３を加えることで、悪意のある他ユーザーから携帯電話機１００を使用されないようにすることも可能となる。他にも、カメラ撮像部３５を利用しての虹彩認証や、マイクを利用しての音声認識といった認証方法を用いて同様の効果を得ることができる。
【００２８】
図７は無線部を制御部に接続して着信と筺体の展開とを連動させる変形例３の構成を表したブロック図である。
また、携帯電話機１００は、上記構成を利用することで、開閉制御回路４７を無線部５７に接続し、携帯電話機１００の着信時に自動的に携帯電話機１００を開き、ユーザーに着信を知らせるようにすることも可能となる。
【００２９】
次に、本発明に係る携帯端末の第２実施形態を説明する。
図８は本発明の第２実施形態に係る携帯電話機の要部構成を表したブロック図、図９は図８に示した静止比較回路の構成を表すブロック図である。
第２実施形態による携帯電話機は、制御部４５に落下物検知手段６１が接続される。また、制御部４５の開閉制御回路４７にはモーター４３が接続される。
【００３０】
落下物検知手段６１は、開いている状態の上筐体２３と下筐体２５とに対して落下物があったときに、落下物を検知する。開閉制御回路４７は、この落下物検知手段６１の落下物検知動作に同期して、モーター４３を作動させる。落下物検知手段６１は、カメラ撮像部３５と、このカメラ撮像部３５からの撮像データを記憶するメモリ５５と、メモリ５５に保存されている撮像データを以前の撮像データと比較して、一定時間の撮像データが一致していなければ落下物があると判断して開閉制御回路４７へ落下物検知信号を送出する静止比較回路６３とからなる。
【００３１】
次に、第２実施形態に係る携帯電話機の落下物検出から折り畳まれるまでの動作を説明する。
図１０は落下物検出から携帯電話機を折り畳むまでの動作手順を表したフローチャートである。
【００３２】
携帯電話機の電源がＯＮされると、制御部４５は静止比較回路６３を起動する（Step21）。
カメラ撮像部３５は、定期的に撮像データをメモリ５５に保存していく。静止比較回路６３は、保存されている撮像データを以前の撮像データと比較して、一定時間以上のデータが一致していれば落下物がないと判断する。
一方、一定時間の撮像データが一致していない場合には、落下物があると判断し（Step22）、開閉制御回路４７を起動する（Step23）。
【００３３】
開閉制御回路４７は、現在の携帯電話機の開閉状態を保持しており（Step24）、携帯電話機が閉じている状態ならば、なにもしない。
これに対し、携帯電話機が開いている状態ならばモーター４３を起動させて（Step25）、携帯電話機を閉じて液晶表示装置２９へ落下物が落下するのを防ぐ（Step26）。
携帯電話機は、モーター４３を使用して閉じるが、通常の開閉はモーター４３を使用しなくても良い。
【００３４】
以上のように、第２実施形態では、筺体２１の近傍の状況が、筺体２１に設けられたカメラ撮像部３５によって逐一撮影され、メモリ５５内に記憶された一定時間での撮像データが静止比較回路６３によって比較されることで、筺体２１へ接近する落下物の検知が可能となる。
これにより、携帯電話機に向かって落下物があった場合でも、携帯電話機は閉じた状態になるため、液晶表示装置２９へ落下物が落下するのを防ぎ、液晶表示装置２９の表面を保護することができる。
【００３５】
なお、第２実施形態では、落下物の検知にカメラ撮像部３５を用いた場合を例に説明したが、スピードガンで用いられているマイクロ波センサーを用いても同様の効果を得ることができる。
また、静止比較回路６３内にユーザーが触れているかどうかを検出する感圧センサーを取り付け、ユーザーが携帯電話機に触れているときは、携帯電話機を閉じないように条件を設定したり、ユーザーからのキー入力が一定時間なかった場合に、第２の実施形態に開示した動作を実行するように条件を設定しても良い。
【産業上の利用可能性】
【００３６】
本発明は、落下もしくは落下物を検出して自動的に筺体を折り畳む落下検出回路と、開閉制御回路とを備えているので、液晶表示装置や操作部等落下によって支障を来す虞のある構成要素を備えた全ての携帯端末に適用できるものである。
【図面の簡単な説明】
【００３７】
【図１】本発明の第１実施形態に係る携帯電話機の正面図である。
【図２】図１に示した携帯電話機の要部構成を表したブロック図である。
【図３】携帯電話機の落下検出から上筐体と下筐体とを折り畳むまでの動作手順を表したフローチャートである。
【図４】第１実施形態の変形例１を表す要部構成ブロック図である。
【図５】第１実施形態の変形例２を表す要部構成ブロック図である。
【図６】第１実施形態の変形例２の動作手順を表したフローチャートである。
【図７】無線部を制御部に接続して着信と筺体の展開とを連動させる変形例３の構成を表したブロック図である。
【図８】本発明の第２実施形態に係る携帯電話機の要部構成を表したブロック図である。
【図９】図８に示した静止比較回路の構成を表すブロック図である。
【図１０】落下物検出から携帯電話機を折り畳むまでの動作手順を表したフローチャートである。
【図１１】従来の携帯端末の正面図である。
【符号の説明】
【００３８】
２１  筺体
２３  上筺体
２５  下筺体
２７  ヒンジ部
３５  カメラ撮像部
４１  落下検出回路
４３  モーター（折り畳み駆動手段）
４７  開閉制御回路
４９  スピーカー
５１  鳴動制御回路
５５  メモリ
６１  落下物検知手段
６３  静止比較回路
１００  携帯電話機（携帯端末）
【図１】
2006165732.tif 000003
【図２】
2006165732.tif 000004
【図３】
2006165732.tif 000005
【図４】
2006165732.tif 000006
【図５】
2006165732.tif 000007
【図６】
2006165732.tif 000008
【図７】
2006165732.tif 000009
【図８】
2006165732.tif 000010
【図９】
2006165732.tif 000011
【図１０】
2006165732.tif 000012
【図１１】
2006165732.tif 000013